(57)【要約】  照明モジュールアセンブリ１０００が、光学要素のスタック１００１と、前記光学要素のスタックを支持するためのフレームを形成する複数の細長いアームであって、少なくとも１つの細長いアームが、前記アームの伸長方向に延在するキャビティ１０１５を有する複数の細長いアーム１０１０、１０２０、１０３０、１０４０と、少なくとも１つの照明要素９０とを含む。前記キャビティ１１０５が、前記少なくとも１つの照明要素を収容し、使用中、前記照明要素の光１００６を前記スタックに向けるよう構成され、各細長いアームは、第１の細長いアーム部１０１１によって形成される。前記スタックは、拡散器１００２、導光板１００３及び反射器１００４を有する。前記第１の細長いアーム部１０１１は、前記拡散器、前記導光板及び前記反射器のうちの少なくとも１つと一体的に形成される。
2021500726.tif 000002
【特許請求の範囲】
【請求項１】
拡散器、導光板及び反射器を有する光学要素のスタックと、
前記光学要素のスタックを支持するためのフレームを形成する複数の細長いアームであって、少なくとも１つの細長いアームが、前記細長いアームの伸長方向に延在するキャビティを有する複数の細長いアームと、
少なくとも１つの照明要素とを含む照明モジュールアセンブリであって、
前記キャビティが、前記少なくとも１つの照明要素を収容し、使用中、前記照明要素の光を前記光学要素のスタックに向けるよう構成され、
各細長いアームが、第１の細長いアーム部によって形成され、
少なくとも１つの第１の細長いアーム部が、前記拡散器、及び前記導光板のうちの少なくとも一方と一体的に形成される照明モジュールアセンブリ。
【請求項２】
少なくとも１つの細長いアームが、前記キャビティで前記照明要素を囲むために前記伸長方向において前記第１の細長いアーム部と嵌め合わせるための第２の細長いアーム部を有する請求項１に記載の照明モジュールアセンブリ。
【請求項３】
前記第１の細長いアーム部と前記第２の細長いアーム部とが、リビングヒンジに沿って前記第２の細長いアーム部を前記第１の細長いアーム部に対して曲げることによって嵌め合わされるよう構成されるように、前記第１の細長いアーム部と前記第２の細長いアーム部とが、一体的に形成され、前記リビングヒンジによって互いに接続される請求項２に記載の照明モジュールアセンブリ。
【請求項４】
前記拡散器が、前記第１の細長いアーム部と一体的に形成され、前記照明要素と部分的に重なる前記照明モジュールアセンブリの縁端部に沿った突出部を有し、前記突出部が、前記光が、使用中、前記モジュールを出る前記伸長方向に対して垂直な方向に向かって傾斜したプロファイルで延在し、好ましくは、前記傾斜したプロファイルが、４５度以下の角度を有する請求項１乃至３のいずれか一項に記載の照明モジュールアセンブリ。
【請求項５】
前記導光板が、前記第１の細長いアーム部と一体的に形成され、前記細長いアームの近くの前記照明モジュールアセンブリの縁端部において前記伸長方向に配設される前記導光板を貫通する細長い開口部を有する請求項１乃至３のいずれか一項に記載の照明モジュールアセンブリ。
【請求項６】
前記導光板の下に配設され、前記細長い開口部を通って延在する反射器を有する請求項５に記載の照明モジュールアセンブリ。
【請求項７】
前記反射器が、前記光が前記スタックに向かうようにするために前記照明要素に対応して前記キャビティ内に溝を具備する前記第１の細長いアーム部と一体的に形成される請求項１乃至３のいずれか一項に記載の照明モジュールアセンブリ。
【請求項８】
前記第１の細長いアーム部が、少なくとも受け要素を有し、前記第２の細長いアーム部が、少なくとも、前記受け要素に係合するための係合要素を有する、請求項２に従属する、請求項１乃至７のいずれか一項に記載の照明モジュールアセンブリ。
【請求項９】
前記係合要素が、前記受け要素に嵌め込むよう構成される請求項８に記載の照明モジュールアセンブリ。
【請求項１０】
使用中、前記照明要素によって生成される熱を拡散させるための熱拡散要素を有し、前記熱拡散要素が、前記キャビティ内の前記照明要素を支持するために前記キャビティ内で前記照明要素の背面に配設され、前記スタックの下に部分的に延在する請求項１乃至９のいずれか一項に記載の照明モジュールアセンブリ。
【請求項１１】
前記熱拡散要素が、前記キャビティに嵌め込むよう構成されるばね部を有する請求項１０に記載の照明モジュールアセンブリ。
【請求項１２】
前記少なくとも１つの照明要素を制御するために前記キャビティ内に配設されるドライバユニットを更に有する請求項１乃至１１のいずれか一項に記載の照明モジュールアセンブリ。
【請求項１３】
前記照明要素が１つ以上の発光体を有する請求項１乃至１２のいずれか一項に記載の照明モジュールアセンブリ。
【請求項１４】
前記第１の細長いアーム部及び／又は前記第２の細長いアーム部が、好ましくは射出成形によって、一体的に形成される、請求項２に従属する、請求項１乃至１３のいずれか一項に記載の照明モジュールアセンブリ。
【請求項１５】
前記第１の細長いアーム部及び／又は前記第２の細長いアーム部が、プラスチック、好ましくはポリカーボネート又はアクリルで作成される、請求項２に従属する、請求項１乃至１４のいずれか一項に記載の照明モジュールアセンブリ。
【発明の詳細な説明】
【技術分野】
【０００１】
本発明は、照明モジュールアセンブリに関する。
【背景技術】
【０００２】
照明パネルは、一般に、例えば正方形又は長方形の、剛性照明モジュール構造を含み、前記剛性照明モジュール構造においては、例えば、正方形又は長方形の辺にＬＥＤバーが取り付けられ、ＬＥＤバーの光をパネルの光出口の方へ集束させるために、様々なプレートの垂直スタックが組み立てられる。垂直スタックは、例えば、拡散器、導光板、反射器を含む。
【０００３】
パネルの照明モジュールは、一般に、スタックから分離された箱に梱包され、出荷される。従って、照明モジュールは、完全に組み立てられた状態で、即ち、全てが取り付けられたモジュールを含み、従って、同じサイズの剛性モジュール構造を備える状態で、又は様々な部品に分解された状態で、即ち、モジュール構造の様々な部品が箱から取り出した後に組み立てられる必要がある状態で、出荷される。
【０００４】
第１の場合には、モジュールが出荷されることができるようになる前のモジュールの事前組み立てが、幾らかの作業を必要とする。
【０００５】
第２の場合には、設置者が、例えば構造を剛性に保つためにネジ又はクリップを用いて、モジュールの様々な部品を組み立てる必要があることから、設置が単純明快ではない。従って、設置は、より遅くなり、かなりの余分な労力を必要とする。
【０００６】
組み立てられる必要がある部品の量によっては、モジュールの組み立ては幾らかの労力を必要とし得る。更に、ＬＥＤバーのような電子部品、及びＬＥＤを動作可能なように制御するための電子回路がモジュールに取り付けられる必要がある。モジュールの形状寸法によっては、モジュールへのこのような電子部品の取り付けには（より多くの／より少ない）困難性があり得る。
【０００７】
例えば、韓国特許KR1604290B1は、対称支持レールユニットと、固定ネジのための固定部を形成するよう支持レールユニットの外側に向かって延在する固定フランジユニットとを含む内側カバーを含むエッジ型照明パネルデバイスについて記載している。支持レールユニットいずれか一方の内側壁部には、ＬＥＤバーを搭載するＰＣＢモジュールが配置される。内側カバーの一部は、ＰＣＢモジュールから外部へ熱を放射するためにＰＣＢモジュールと接触している１つの端部を有する。反射器、導光板及び拡散板のスタックは、レールユニットによって支持されるように配設される。幾つかの実施形態においては、拡散板は、使用中に光が出て行くことができる外側カバーを形成するよう、固定部と一体的に形成され得る。
【０００８】
しかしながら、KR1604290B1に記載されているデバイスは、モジュールの設置者が、梱包用の箱か様々な部品を取り出し、例えば固定ネジによって、それらを組み立てることを必要とする。従って、設置者は、固定ネジを固定部に挿入し、支持レールユニットを固定フランジユニットに固定する必要がある。更に、KR1604290B1に記載されているタイプのような照明パネルの形状寸法の場合は、パネルが剛性構造に取り付けられた後には、支持レールユニットの内側壁部に様々な電子部品を取り付けることは困難であり得る。なぜなら、パネルが組み立てられた後には内側壁部にアクセスするのがより困難になり得るからである。それ故、モジュールの組み立てにはかなりの時間がかかり得る。
【０００９】
US2003/043314は、光を生成するための光生成手段と、画像を表示するための表示手段へ光を導くための導光手段と、前記導光手段の下に配置され、前記導光手段の方へ光を反射するための反射手段と、前記反射手段、前記導光手段及び前記光生成手段を収容するための収容手段とを有する液晶ディスプレイデバイスを開示している。前記収容手段は、前記光生成手段の位置を案内し、前記光生成手段が動かされるのを防止する少なくとも１つのボスをその底面に有する。
【００１０】
US2005/140850は、反射面、及び反射面に面するラップアラウンド端部（wraparound end）を有する反射型バックプレートと、反射型バックプレートの反射面に配置される導光板であって、導光板の端部がラップアラウンド端部に接続されてそれらの間にキャビティを形成する導光板と、キャビティ内に配置される光源モジュールとを有するエッジバックライトモジュールを開示している。
【発明の概要】
【発明が解決しようとする課題】
【００１１】
より容易に、より短い時間内に組み立てられることができる改良された照明モジュールを有することは有利であるだろう。正面からの侵入防止の向上を提供する改良された照明モジュールを有することも有利であるだろう。縁端部からの照明効果の改善を提供する改良された照明モジュールを有することも有利であるだろう。正面からの外観の一様性の向上を提供する改良された照明モジュールを有することも有利であるだろう。
【課題を解決するための手段】
【００１２】
本発明の或る態様は、照明モジュールを提供する。前記照明モジュールアセンブリは、拡散器、導光板及び反射器を有する光学要素のスタックを含む。前記照明モジュールアセンブリは、前記光学要素のスタックを支持するためのフレームを形成する複数の細長いアームであって、少なくとも１つの細長いアームが、前記細長いアームの伸長方向に延在するキャビティを有する複数の細長いアームと、少なくとも１つの照明要素とを含む。前記キャビティは、前記少なくとも１つの照明要素を収容し、使用中、前記照明要素の光を前記光学要素のスタックに向けるよう構成される。各細長いアームは、第１の細長いアーム部によって形成される。少なくとも１つの第１の細長いアーム部は、前記拡散器及び前記導光板のうちの少なくとも一方と一体的に形成される。
【００１３】
前記第１の細長いアーム部は、前記拡散器及び前記導光板のうちの少なくとも一方のいずれかと一体的に形成されることから、前記スタックを支持する前記フレームの一部は、既に形成されており、ネジ又は同様のものによって取り付けられる必要がなく、積み重ねられる必要がある光学要素の数はより少なくなる。照明モジュールアセンブリは、組み立てられる構成要素がより少ないことから、より少ない組み立てステップで組み立てられ得る。
【００１４】
照明モジュールアセンブリは、一般に、例えば壁又は天井のような、平面に取り付けられる。従って、前記照明器具は、主にその前面を介して周囲にさらされ、従って、前記前面が、侵入からの保護の程度を大部分決定する。前記拡散器又は前記導光板と前記第１の細長いアーム部の一体化は、正面からの、従って、前記照明モジュール全体に対する侵入防止の向上を提供する。換言すれば、前記光源は、例えば水及び塵埃の侵入からよりよく保護され、相対的に安全で信頼性の高く、おそらくは延びた寿命も持つ照明モジュールをもたらす。侵入防止は、ＬＥＤなどの発光素子及び／又は電子回路を保護するためにとりわけ必要とされる。
【００１５】
照明モジュールアセンブリの縁端部は、光を発さない、又はより少ない光を供給する。前記拡散器又は前記導光板と前記第１の細長いアーム部の一体化は、前記縁端部からの照明効果の改善を提供する。換言すれば、前記発光素子の光は、前記拡散器又は前記導光板と前記第１の細長いアーム部の一体化のため、前記照明モジュールアセンブリから前記縁端部から逃げ得る。
【００１６】
前記照明モジュールアセンブリの縁端部は、目に見え、一様な外観を供給しない。前記拡散器と前記第１の細長いアーム部の一体化は、正面からの外観の一様性の向上を提供する。換言すれば、前記縁端部は、より目立たなくされる。
【００１７】
実施形態においては、少なくとも１つの細長いアームは、前記キャビティで前記照明要素を囲むために前記伸長方向において前記第１の細長いアーム部と嵌め合わせるための第２の細長いアーム部を有する。
【００１８】
前記照明要素が、前記細長いアームの前記キャビティで囲まれ、前記アームが、互いに嵌め合わされることができる２つのアーム部によって形成されることから、前記照明要素を、例えば一体的に形成される前記第１のアーム部に挿入し、前記第１のアーム部を箱状に前記第２のアーム部で覆うことが、ずっと容易である。
【００１９】
前記細長いアーム部は、２つの別々のアーム部を互いに嵌め合わせて閉じることによって、又は前記２つの細長いアーム部が一方の側で互いに接続されている場合は、前記２つ細長いアームのそれぞれの開いている側を互いに嵌め合わせて閉じることによって、互いに嵌め合わされ得る。
【００２０】
例えば、実施形態においては、前記第１の細長いアーム部と前記第２の細長いアーム部とが、リビングヒンジに沿って前記第２の細長いアーム部を前記第１の細長いアーム部に対して曲げることによって嵌め合わされるよう構成されるように、前記第１の細長いアーム部と前記第２の細長いアーム部とが、一体的に形成され、前記リビングヒンジによって互いに接続される。
【００２１】
前記モジュールの組み立ては、光学スタックを囲む前記フレームが一体的に形成され、組み立てられる必要があるばらばらの部品がより少ないことから、より容易になっている。
【００２２】
実施形態においては、前記照明モジュールアセンブリは、前記少なくとも１つの照明要素を制御するために前記キャビティのうちの１つに配設されるドライバユニットを有する。
【００２３】
従って、前記キャビティは、前記照明要素を駆動するためのドライバユニットを組み立てるためにも使用され得る。嵌め合わされた前記アーム部は、ドライバユニット、照明要素、又は他の実施形態においては、前記モジュールを設置し、動作させるのに適した前記モジュールの任意の電気的若しくは機械的構成要素を収容し得る。
【００２４】
実施形態においては、前記拡散器又は前記導光板は、例えば射出成形によって、前記第１の細長いアーム部及び／又は前記第２の細長いアーム部と一体的に形成され得る。従って、少なくとも１つの細長いアーム部は、前記拡散器及び前記導光板のうちの少なくとも一方と一体的に形成され得る。実施形態においては、少なくとも２つの細長いアーム部が、前記拡散器及び前記導光板のうちの少なくとも一方と一体的に形成される。実施形態においては、少なくとも３つの細長いアーム部が、前記拡散器及び前記導光板のうちの少なくとも一方と一体的に形成される。実施形態においては、少なくとも４つの細長いアーム部が、前記拡散器及び前記導光板のうちの少なくとも一方と一体的に形成される。
【００２５】
前記拡散器又は前記導光板のいずれかが前記細長いアーム部のいずれかと一体的に形成される場合、前記照明モジュールアセンブリが有するばらばらの部品は更に少なくなり、前記照明モジュールアセンブリはより容易に組み立てられる。
【００２６】
実施形態においては、細長いアームの第１のアーム部は、前記照明モジュールアセンブリの、前記照明要素が配設される側で、光学要素のスタックの拡散器と一体的に形成され得る。
【００２７】
実施形態においては、細長いアームの第１のアーム部は、前記照明モジュールアセンブリの、前記照明要素が配設される側で、光学要素のスタックの導光板と一体的に形成され得る。
【００２８】
実施形態においては、前記第１の細長いアーム部及び／又は前記第２の細長いアーム部は、プラスチック、好ましくはポリカーボネート又はアクリルで作成される。
【００２９】
従って、前記照明モジュールは、より軽くなり、より少ないコストで製造及び出荷され得る。とりわけ、前記拡散器又は前記導光板のいずれかがプラスチック製の前記第１の細長いアーム部又はプラスチック製の前記第２の細長いアーム部と一体的に形成される場合、前記照明モジュールアセンブリは、とりわけ軽くなり、簡素化されたやり方で製造され得る。
【００３０】
実施形態においては、前記拡散器は、前記第１の細長いアーム部と一体的に形成され、前記照明要素と部分的に重なる前記照明モジュールアセンブリの縁端部に沿った突出部を有する。前記突出部は、前記光が、使用中、前記モジュールを出る前記伸長方向に対して垂直な方向に向かって傾斜したプロファイルで延在する。好ましくは、前記傾斜したプロファイルは、４５度以下の角度を有する。
【００３１】
一体化された前記拡散器に傾斜したプロファイルを有する突出部を設けることによって、使用中、前記照明モジュールアセンブリの前記縁端部における光点が防止されることができ、同時に、幾らかの光が前記突出部を超えて非常に遠い縁端部に到達することが可能になり、それによって、所謂縁が暗い現象を解消する。
【００３２】
実施形態においては、前記導光板は、前記第１の細長いアーム部と一体的に形成される。前記導光板は、前記細長いアームの近くの前記照明モジュールアセンブリの縁端部において前記伸長方向に配設される前記導光板を貫通する細長い開口部を有する。前記開口部は、使用中、前記光が前記フレームに到達することを防止し、それによって、前記光が望ましくないように周囲環境に分散することを防止する前記導光板内に前記光を閉じ込めることを可能にする。
【図面の簡単な説明】
【００３３】
ほんの一例として、図面を参照して、本発明の更なる詳細、態様及び実施形態について説明する。図の中の要素は、簡単にするために、及び分かりやすくするために、図示されており、必ずしも縮尺通りには描かれていない。図において、既に記載されている要素に対応する要素は、同じ参照符号を持ち得る。
【図１ａ】照明モジュールアセンブリの実施形態の上面図を示す。
【図１ｂ】図１ａの照明モジュールアセンブリの実施形態の側面図を示す。
【図１ｃ】照明モジュールアセンブリの実施形態の断面図を示す。
【図１ｄ】照明モジュールアセンブリの実施形態の断面図を示す。
【図１ｅ】照明モジュールアセンブリの実施形態の断面図を示す。
【図１ｆ】照明モジュールアセンブリの実施形態の例の斜視図を概略的に示す。
【図２】図１ｆの照明モジュールアセンブリの実施形態の第１拡大斜視図を概略的に示す。
【図３】図１ｆの照明モジュールアセンブリの実施形態の第２拡大斜視図を概略的に示す。
【図４ａ】照明モジュールアセンブリの実施形態の分解組立図を概略的に示す。
【図４ｂ】図４ａの照明モジュールアセンブリの実施形態の斜視図を概略的に示す。
【図４ｃ】フレームに取り付けられる図４ｂの照明モジュールアセンブリの実施形態の分解組立図を概略的に示す。
【図５】照明モジュールアセンブリの実施形態の例の断面図を概略的に示す。
【図６】照明モジュールアセンブリの実施形態の例の断面図を概略的に示す。
【図７】照明モジュールアセンブリの実施形態の例の斜視図を概略的に示す。
【図７ａ】図７の照明モジュールアセンブリの実施形態の第１拡大斜視図を概略的に示す。
【図７ｂ】図７の照明モジュールアセンブリの実施形態の第２拡大斜視図を概略的に示す。
【図８】照明モジュールアセンブリの実施形態の斜視図を概略的に示す。
【図９】図８の照明モジュールアセンブリの実施形態の光学的シミュレーションを概略的に示す。
【図１０】照明モジュールアセンブリの実施形態の例の断面図を概略的に示す。
【発明を実施するための形態】
【００３４】
本発明は多くの異なる形態で実施可能であるが、本開示は、本発明の原理の例示とみなされるべきであり、本発明を図示及び記載されている特定の実施形態に限定することを意図するものではないという理解の下に、１つ以上の特定の実施形態が、図面において示され、本明細書において詳細に記載されている。
【００３５】
更に、本発明は、実施形態に限定されるものではなく、本発明は、本明細書において記載されている又は相互に異なる従属請求項において挙げられているありとあらゆる新規な特徴又は特徴の組み合わせにある。
【００３６】
図１ａは、照明モジュールアセンブリ１０００の実施形態の上面図を示している。図１ｂは、照明モジュールアセンブリ１０００の実施形態の側面図を示している。
【００３７】
図１ａを参照すると、照明モジュールアセンブリ１０００は、４つの一体的に接続される細長いアーム１０１０、１０２０、１０３０及び１０４０と、図１ａにおいては示されていない少なくとも１つの照明要素とを有する。図１ａにおいて示されている細長いアーム１０１０、１０２０、１０３０及び１０４０は、ほぼ同じ長さ及び同じ厚さを有する。
【００３８】
しかしながら、照明モジュールアセンブリは、異なる形状を得るために、４つより少ない細長いアーム、又は4つより多くの細長いアームを有してもよい。照明モジュールアセンブリは、１つより多くの、例えば、２つ以上の照明要素を有してもよい。
【００３９】
幾つかの実施形態においては、細長いアームは、異なる長さ及び／又は異なる厚さを有する。
【００４０】
照明モジュールアセンブリ１０００は、光学要素のスタックを組み立てるために使用される。スタックは、拡散器１００２、導光板及び反射器を有する。図１ａは、拡散器１００２しか示しておらず、導光板及び反射器は、後で示すように、スタック内の拡散器１００２の下に配設されている。複数の細長いアーム１０１０、１０２０、１０３０、１０４０は、フレーム１００５、例えば、光学要素のスタックを支持するための剛性フレームを形成する。フレーム１００５は、図１ａにおいて示されているように、スタックを取り囲み得る。光学要素のスタックが組み立てられるとき、照明モジュールアセンブリは、例えば、天井、壁、舗装道路、又は任意の他の適切な表面若しくは場所に取り付けられ得る。照明モジュールアセンブリは、環境を照らすために使用されることができ、又はコマーシャル、ビデオ、写真若しくはポスターを表示するためのディスプレイパネルとして使用されることができる。照明モジュールアセンブリは、商業的、私的又は専門的用途のためのあらゆる種類の屋内照明又は屋外照明において使用され得る。使用中、光は、拡散器１００２から出て行き、従って、環境を照らす。
【００４１】
各細長いアーム１０１０、１０２０、１０３０及び１０４０は、（図１ａ及び図１ｂにおいては示されていない）第１の細長いアーム部によって形成されている。
【００４２】
第１の細長いアーム部は、拡散器、導光板及び反射器のうちの少なくとも１つと一体的に形成される。
【００４３】
図１ｃ乃至１ｄは、第１の細長いアーム部が、それぞれ、拡散器、導光板及び反射器と一体的に形成される照明モジュールアセンブリの３つの異なる実施形態のための、図１ａの細長いアーム１０１０の断面図を示している。
【００４４】
例えば、図１ｃは、図１ａの破線で横切られている照明モジュールアセンブリの実施形態の断面図を示している。
【００４５】
少なくとも１つのアーム、この例においてはアーム１０１０は、アームの伸長方向に延在するキャビティ１０１５を有する。キャビティ１０１５は、照明要素１０９０を収容し、使用中、照明要素の光１００６をスタック１０に向けるよう構成される。
【００４６】
この例においては、細長いアーム１０１０は、反射器１００４と一体的に形成される第１の細長いアーム部１０１１によって形成される。光学要素のスタック１００１の底部から、反射器１００４の上には、導光板１００３及び拡散器１００２が配設される。
【００４７】
図１ｄは、照明モジュールアセンブリの別の実施形態の断面図を示している。
【００４８】
この実施形態においては、細長いアーム１０１０の第１のアーム部１０１１は、光学要素１００２、１００３及び１００４のスタック１００１の拡散器１００２と一体的に形成される。図１ｄにおいて示されているように、細長いアーム１０１０の第１のアーム部１０１１は、照明モジュールアセンブリの、照明要素が配設される側で、光学要素１００２、１００３及び１００４のスタック１００１の拡散器１００２と一体的に形成され得る。
【００４９】
図１ｅは、照明モジュールアセンブリの他の実施形態の断面図を示している。
【００５０】
この実施形態においては、細長いアーム１０１０の第１のアーム部１０１１は、光学要素１００２、１００３及び１００４のスタック１００１の導光板１００３と一体的に形成される。図１ｅにおいて示されているように、細長いアーム１０１０の第１のアーム部１０１１は、照明モジュールアセンブリの、照明要素が配設される側で、光学要素１００２、１００３及び１００４のスタック１００１の導光板１００３と一体的に形成され得る。
【００５１】
従って、第１のアーム部は、モジュールの製造及び組み立てを簡素化するよう、例えば射出成形によって、スタックの任意の光学要素と一体的に形成され得る。組み立てられる必要がある部品がより少なくなる。モジュールを製造するコストも削減される。
【００５２】
図１ｆは、照明モジュールアセンブリ１００の実施形態の例の斜視図を概略的に示している。
【００５３】
図１ｆを参照すると、照明モジュールアセンブリ１００は、４つの一体的に接続される細長いアーム１０、２０及び３０と、図１ｆにおいては示されていない少なくとも１つの照明要素とを有する。
【００５４】
この例においては、各アーム１０、２０、３０、４０が、アームの伸長方向に延在する（図１ｆにおいては示されていない）キャビティを有する。キャビティは、照明要素を収容し、使用中、照明要素の光をスタックに向けるよう構成される。
【００５５】
図１ｃ乃至１ｄを通して示されている実施形態とは異なり、この例においては、各アーム１０、２０、３０及び４０は、照明要素を囲むために伸長方向において第１の細長いアーム部と嵌め合わせるための第２の細長いアーム部を有する。
【００５６】
従って、換言すれば、図１ｃ乃至１ｄにおいて示されているように、各細長いアームは、スタックの光学要素のいずれか１つと一体的に形成される単一部品によって形成されてもよい。細長いアームを形成する単一部品のうちの少なくとも１つは、上記のように照明要素を収容するためのキャビティを有する。
【００５７】
他の例においては、図１ｆにおいて示されている例のように、モジュールの少なくとも１つの細長いアームは、箱状になるように互いに嵌め合わされ、照明要素がキャビティ内に配設された状態でキャビティを囲む２つの別々の部品によって形成されてもよい。
【００５８】
例として、細長いアーム１０及び２０の細長いアーム部について詳細に言及する。細長いアーム３０及び４０は同じやり方で形成される。
【００５９】
細長いアーム１０は、第１の細長いアーム部１１と、第２の細長いアーム部１２とによって形成される。
【００６０】
細長いアーム２０は、第１の細長いアーム部２１と、第２の細長いアーム部２２とによって形成される。
【００６１】
細長いアーム３０及び４０は、対応する第１の細長いアーム部と、対応する第２の細長いアーム部とによって、同様に形成される。
【００６２】
図１ｆにおいて示されている例においては、アーム１０、２０、３０及び４０を形成する細長いアーム部は、フレーム構造に一体的に形成される。
【００６３】
実施形態においては、図１ｆにおいて示されているように、第１の細長いアーム部と第２の細長いアーム部とが、リビングヒンジに沿って第２の細長いアーム部を第１の細長いアーム部に対して曲げることによって嵌め合わされるよう構成されるように、第１の細長いアーム部と第２の細長いアーム部とが、一体的に形成され、リビングヒンジによって互いに接続される。アーム１０を参照すると、第１の細長いアーム部１１と第２の細長いアーム部１２とが、一体に形成されており、この例においては細長いリビングヒンジであるリビングヒンジ５によって互いに接続されている。
【００６４】
図においてより後に示されている実施形態においては、第１の細長いアーム部のみが、第１フレーム構造に一体的に形成され得る。第２の細長いアーム部は、１つ以上の照明要素を対応するキャビティに封入するために第１フレーム構造と嵌め合わせるよう構成される第２フレーム構造に一体的に形成され得る。
【００６５】
他の例においては、第２の細長いアーム部は、それぞれのキャビティを閉じるために対応する細長いアーム部と嵌め合わせる、剛性構造に一体的に形成されない別個のアーム部として設計されてもよい。
【００６６】
実施形態においては、第１の細長いアーム部は、例えば射出成形によって、一体的に形成されてもよい。
【００６７】
実施形態においては、第２の細長いアーム部は、例えば射出成形によって、一体的に形成されてもよい。
【００６８】
実施形態においては、細長いアーム１０、２０、３０及び４０は、例えば射出成形によって、一体的に形成されてもよい。例えば、第１、第２の細長いアーム部又は細長いアーム１０、２０、３０及び４０は、例えば射出成形された、プラスチックで作成されてもよい。
【００６９】
実施形態においては、第１の細長いアーム部及び／又は第２の細長いアーム部は、プラスチック、好ましくはポリカーボネート（ＰＣ）又はアクリル（ＰＭＭＡ）で作成されてもよい。しかしながら、細長いアームは、照明要素、並びに随意に電気的及び機械的構成要素を収容し、光学要素のスタックを組み立てるためのフレームの十分な剛性を保証する任意の他の適切なプラスチック材料で作成されてもよい。
【００７０】
プラスチック製の照明モジュールアセンブリは、スチール又はアルミニウム製の従来のモジュールよりも軽い。従って、プラスチック製の照明モジュールアセンブリは、より少ないコストで出荷され得る。
【００７１】
製造材料としてプラスチックを使用することは、例えば無線通信チャネルを介して照明要素を遠隔制御するために使用され得る無線周波数（RF）信号を透過させるモジュールを構成することを可能にする。モジュールが、金属ではなくプラスチックで作成される場合、RF信号は、より少ない反射しか伴わずに進む。照明要素から照明要素への無線伝送範囲が拡大され得る。
【００７２】
図においてより後に示されている実施形態においては、照明モジュールアセンブリは、少なくとも１つの照明要素を制御するためにキャビティのうちの１つに配設されるドライバユニットを含み得る。
【００７３】
換言すれば、第１及び第２の細長いアーム部は、互いに嵌め合わされるとき、照明要素、及び／又は照明要素を動作させる電気的若しくは機械的構成要素、例えばドライバユニットを収容する箱状構成要素を形成する。
【００７４】
照明モジュールアセンブリがドライバユニットを有する場合、照明モジュールアセンブリは実質的に設置の準備ができている場合がある。照明要素とドライバユニットとの間の電気接続が既に配線されており、機能的にテストされている可能性があることから、インストーラは、機能モジュールを有し得る。
【００７５】
幾つかの利点は照明モジュール１００と関連している。少なくとも第１の細長いアーム部は一体的に形成されることから、モジュールのフレームはスタックを組み立てる準備ができており、ネジ又は同様のものでアームを組み立てる必要はない。従来のモジュールにおいては多くの異なる部品が組み立てられるのに対して、少ない構成要素しか組み立てられないことから、設置がより容易である。設置コストは削減される。使用される構成要素がより少ない場合、モジュールを組み立てるために必要とされる異なる構成要素間のインターフェースもより少なくなる。インターフェースは時として剛性を損なうことから、このことは、本発明のモジュールの剛性を向上させる。
【００７６】
更に、キャビティは、照明要素、電気的及び機械的構成要素、駆動ユニット、モジュール内の異なる構成要素及び部品間の配線ワイヤを容易に予め取り付けるためのコンパートメントボックスとして有利に使用され得る。コンパートメントボックスは、モジュールの底部から容易にアクセスできる。構成要素は、コンパートメントボックス内に挿入されることができ、次いで、第１の細長いアーム部を第２の細長いアーム部と嵌め合わせることによって、コンパートメントボックスは容易に閉じられることができる。
【００７７】
更に、照明モジュールアセンブリが、上記のように、プラスチックで作成される場合、照明要素及び／又はドライバユニットは、照明要素及び／又はドライバユニットと、対応するアームの、照明要素及び／又はドライバユニットが取り付けられる面との間に追加の電気絶縁層を配置することなく、アーム内に組み立てられ得る。プラスチックは電気絶縁材料であることから、照明モジュールアセンブリは外部環境から電気的に絶縁される。このことは、より安全な製品がより低いコストで作成され得ることを意味する。
【００７８】
例えば、金属フレームで作成される従来のモジュールにおいては一般に行われているように、モジュールのプラスチックフレームを安全上の理由で接地電位に接続することは必要ない。照明要素、ドライバユニット、又はモジュールの他の電気的若しくは機械的構成要素を取り付けるプリント回路基板又は配線ワイヤにおいても、高い安全クラスを備える照明モジュールアセンブリを得るために、追加の電気絶縁は必要とされない。本発明のプラスチックモジュールでは、如何なる特定の電気絶縁手段も講じることなく安全クラス２が達成され得る。
【００７９】
図２は、図１ｆの照明モジュールアセンブリ１００の実施形態の第１拡大斜視断面図を概略的に示している。
【００８０】
図２は、図１ｆを参照して説明した照明モジュールアセンブリ１００の細長いアーム１０を詳細に示している。細長いアーム１０は、一体的に形成され、リビングヒンジ５によって互いに接続される第１の細長いアーム部１１及び第２の細長いアーム部１２によって形成される。リビングヒンジ５は、この例においては、長さが細長いアーム１０と同じくらいの細長いヒンジである。
【００８１】
幾つかの実施形態においては、リビングヒンジは、アーム部を互いに対して曲げることを可能にするための、第１及び第２の細長いアーム部の外縁に接続される曲げることのできる材料のシートを含む、例えば、一体のヒンジ又はフィルムヒンジである。
【００８２】
フィルムヒンジ及び一体ヒンジのようなリビングヒンジは、当技術分野において周知である。
【００８３】
リビングヒンジは、前記リビングヒンジが接続する部品の材料と同じである材料で作成される薄い可撓性ヒンジである。前記リビングヒンジは、前記リビングヒンジが接続するアーム部を製造するのと同じ型で射出成形することによって製造され得る。前記リビングヒンジは、ヒンジの線に沿ってアームを曲げることを可能にするよう、薄くされてもよく、又は切削されてもよい。図２において示されている例においては、第２の細長いアーム部１２は、ヒンジ５に対応して薄くされている。
【００８４】
リビングヒンジは、プラスチック、例えばポリアミド又はポリプロピレンで作成されることができ、これらは、薄化部における曲げに耐えることができる。
【００８５】
図２に戻ると、細長いアーム部１１にキャビティ１５が設けられている。しかしながら、キャビティ１５は、第２の細長いアーム部１２に設けられてもよく、又は部分的に第１の細長いアーム部１１に設けられ、部分的に第２の細長いアーム部１２に設けられてもよい。例えば、第１及び第２の細長いアーム部は、キャビティを形成するよう中空にされてもよい。例えばＬＥＤバーの形態の、（図２においては示されていない）照明要素が、キャビティ１５に挿入されてもよい。照明要素は、使用中、光をスタックに向けるために配置される。示されている例においては、光は、使用中、第１の細長いアーム部１１が横方向に延在する伸長方向に対して垂直な方向に向けられる。
【００８６】
この目的のために、図２において示されている実施形態においては、細長いアーム部１１は、使用中、光が溝１９を通過し、（図２においては示されていない）光学スタックに到達するようにするために、ＬＥＤバーのＬＥＤの１つ１つに対応してキャビティ１５内に溝１９を具備する。溝１９の代わりに、他のタイプの開口部、例えば、ＬＥＤに対応する凹部又は複数のＬＥＤに対応するより大きな開口部がキャビティに設けられてもよい。
【００８７】
照明モジュールアセンブリの製造のために使用されるプラスチック材料によっては、キャビティに開口部が設けられなくてもよい。例えば、プラスチック材料は十分に光を透過させるかもしれず、その場合には、開口部が設けられているか否かにかかわらず、光は、プラスチック材料を通過し、光学要素のスタックに到達することができる。
【００８８】
溝又は他のタイプの開口部は、図２において示されているように第１の細長いアーム部におけるキャビティに設けられてもよいが、キャビティがどのように形成されるか及び／又はキャビティの形状寸法に応じて、第２の細長いアーム部に設けられてもよく、又は部分的に第１の細長いアーム部若しくは第２の細長いアーム部に設けられてもよい。
【００８９】
図２において示されている実施形態においては、第１の細長いアーム部１１は受け要素１７を有し、第２の細長いアーム部は係合要素１４を有する。係合要素１４は、受け要素１７と係合するよう構成される。この例の係合要素１４及び受け要素１７は、伸長方向に沿って延在している。しかしながら、他のタイプの係合要素及び受容要素は考えられ得る。例えば、２つ以上の係合要素及び対応する受け要素が、アーム部が互いに嵌め合わされるときに、互いに嵌め合わせるために使用され得る。
【００９０】
実施形態においては、係合要素は、受け要素に嵌め込むよう構成される。例えば、第１又は第２のアーム部のうちの１つには、対応する１つ以上の係合要素が嵌め込み得る開口部の形態の１つ以上の受け要素が設けられてもよい。係合要素及び受け要素の様々な形状寸法が考えられ、図２の実施形態は、多くの可能な例のうちの１つを単に例示するものである。
【００９１】
例えば、図１ｆの照明モジュールアセンブリ１００の実施形態の第２拡大斜視図を示している図３を参照すると、細長いアーム部２２に配設される複数の係合要素２４は、細長いアーム部２１に配設される単一の細長い受け要素２８に嵌め込むよう構成される。
【００９２】
同じ例において、細長いアーム部２２の複数の薄型突出部の形態の複数の係合要素２４'は、薄い突出部を受けるためのスリットの形態の受け要素２７に嵌め込むよう構成される。
【００９３】
図３は、図１ｆを参照して説明した照明モジュールアセンブリ１００の細長いアーム２０の拡大図を示している。細長いアーム部２１及び２２は、細長いリビングヒンジ３５によって互いに接続され、リビングヒンジ３５に沿って互いに向かって曲げられる。細長いアーム部２１には、電気的又は機械的構成要素、例えば、他のアーム又は他のアーム部のキャビティ内に配設される照明要素を制御するためのドライバユニットを収容するために使用されるキャビティ２５が設けられる。
【００９４】
キャビティ２５は、図２を参照して説明したキャビティ１５よりも深く、広々としており、より大きな電気的又は機械的構成要素を収容するのにより適しているかもしれない。
【００９５】
図４ａは、照明モジュールアセンブリ２００の実施形態の分解組立図を概略的に示している。分解組立図は、底部からの、即ち、使用中に光が照明モジュールアセンブリ２００を出る側とは反対側である側からの、照明モジュールアセンブリ２００を示している。照明モジュールアセンブリ２００は、細長いアーム２１０、２２０、２３０及び２４０を有する。各アーム２１０乃至２４０は、この特定の例においては、アーム内の照明要素及び／又は電気的若しくは機械的構成要素を囲むためにそれぞれの細長いリビングヒンジによって接続される上記のような２つのアーム部を嵌め合わせることによって、形成される。
【００９６】
例示目的のために、図４ａにおいては、細長いアーム２１０を形成する、細長いリビングヒンジ２０５によって接続される細長いアーム部２１１及び２１２のみが示されている。他の細長いアーム２２０乃至２４０は同様の構成を有する。
【００９７】
照明モジュールアセンブリ２００は、照明モジュールアセンブリ２００が、更に、光学要素のスタック２１９の１つ以上の要素を一体化するという点で、図１ｆを参照して説明した照明モジュールアセンブリ１００と異なる。加えて、又はその代わりに、照明モジュールアセンブリは、使用中に照明モジュールアセンブリ２００の信頼性を向上させるための熱拡散要素２２５のような更なるモジュール要素を有してもよい。加えて、又はその代わりに、照明モジュールアセンブリは、図４ａにおいて示されている例においては細長いアーム２２０内に挿入されるドライバユニット２９１のような更なる電気的構成要素を有してもよい。
【００９８】
スタック２１９は、拡散器、導光板、反射器のうちの少なくとも１つを含み得る。拡散器、導光板及び反射器は、照明モジュールアセンブリ２００の、使用中、光が照明モジュールアセンブリ２００を出る側からこの順序で配設される。
【００９９】
拡散器、導光板又は反射器は、第１の細長いアーム部及び／又は第２の細長いアーム部と一体的に形成されてもよい。
【０１００】
実施形態においては、拡散器、導光板又は反射器は、細長いアーム２１０乃至２４０と一体的に形成されてもよい。
【０１０１】
従って、照明モジュールアセンブリ２００は、大部分が、例えば射出成形によって、一体的に形成されてもよい。組み立てられるばらばらの部品の数が削減されることから、照明モジュールアセンブリ２００の製造コストは更に低減され、モジュールの剛性は向上される。更に、モジュールは、大部分が、一体的に形成され得ることから、照明モジュールアセンブリのほとんどを製造するために、１つのプロセス、例えば射出成形しか使用されないことから、モジュールを製造するコストは低減される。
【０１０２】
熱拡散要素２２５は、使用中、照明要素によって生成される熱を拡散させるために使用される。熱拡散要素は、キャビティ内の照明要素を支持するために、アーム２１０及び２３０の（図４ａにおいては示されていない）キャビティ内で、（図４ａにおいては示されていない）照明要素の背面に配設される。熱拡散要素２２５は、それぞれの照明要素を収容する細長いアーム２１０及び２３０内に挿入される。熱拡散要素２２５は、熱を拡散させて照明要素から遠ざけるために十分に低い熱伝導抵抗を有する材料で作成され得る。例えば、熱拡散要素２２５は、金属又は同様のもので作成され得る。熱拡散要素２２５は、部分的に、スタック２１９の下に、例えば、スタック２１９と、図４ａにおいては第２の細長いアーム部２１２しか示されていない第２の細長いアーム部との間に延在する。熱拡散要素２２５は、照明要素を支持するために使用されてもよい。照明要素は、キャビティ内に配置され、スタックに横方向に面する加熱拡散要素２２５の側部に配設されてもよい。照明モジュールアセンブリが動作するとき、照明要素によって生成される熱は、この側部を介して、更に、熱拡散要素２２５の、スタックの下に延在する部分を介して、放出される。熱は、次いで、スタック全体にわたって拡散され、周囲環境に対してスタックの一部を覆う第２の細長いアーム部全体わたって拡散される。
【０１０３】
図４ｂは、第２の細長いアーム部が対応するヒンジに沿って閉じられたときの図４ａの照明モジュールアセンブリ２００の実施形態の斜視図を概略的に示している。閉じたアームは、モジュールの電気的又は機械的構成要素を収容するコンパートメントボックスを形成する。コンパートメントボックスは、例えば、ボックス間に、及びボックスと外部との間に電線を配線するために使用される（図においては示されていない）穴を通して、互いに、及び外部と電気的に通信し得る。
【０１０４】
図４ｃは、フレーム２５０に取り付けられる照明モジュールアセンブリ２００の実施形態の分解組立図を概略的に示している。照明モジュールアセンブリ２００上に、更に、フレーム２５０が組み立てられ得る。フレーム２５０は、機能的な目的と審美的な目的との両方を有し得る。フレームは、モジュールに平らなフレーム形状を与え、同時に、モジュールが設置されることを可能にする。例えば、照明モジュールアセンブリ２００は、天井に設置されるＴバーに対して配置されるフレーム２５０を介して吊り下げられてもよい。
【０１０５】
図５は、照明モジュールアセンブリ３００の実施形態の例の断面図を概略的に示している。
【０１０６】
図５の断面図は、細長いアームの１つに沿ってとられた断面図を示している。図５は、細長いヒンジ３１５によって接続される第１の細長いアーム部３１１及び第２の細長いアーム部３１２を示している。
【０１０７】
照明モジュールアセンブリ３００は、審美的な目的及び設置目的のために、照明要素３９０、光学要素３１６、３１７及び３１８のスタック３１９、熱拡散要素３２５並びにフレーム３５０を更に有する。
【０１０８】
熱拡散要素３２５は、アーム部３１１及び３１２によって形成されるキャビティ３０５内に部分的に配設され、スタック３１９の下の、スタック３１９とアーム部３１２との間に部分的に配設され、延在する。
【０１０９】
照明要素３９０は、使用中、光が、スタックに向けられ、生成される熱が、照明要素３９０から熱拡散要素３２５へ放出され、熱拡散要素３２５から周囲環境へ放出されるように、背面が熱拡散要素３２５に配置された状態で配設される。
【０１１０】
実施形態においては、キャビティ３０５内に配設される熱拡散要素３２５の一部は、装着されるときにキャビティ３０５に嵌め込むよう構成されるばね部３２７を有する。このやり方においては、熱拡散要素３２５は、ネジ又は同様のものを使用せずにキャビティ３０５内に固定して配設され得る。
【０１１１】
更に、実施形態においては、熱拡散要素３２５は、照明要素３９０が熱拡散要素３２５に全く接着又は付着されていない場合でも照明要素３９０がキャビティ３０５内で動かないように、照明要素３９０をその背面において受け、照明要素３９０をキャビティ３０５内に固定して収めるための受け部３２９を有してもよい。モジュールの組み立てが更に簡素化されている。
【０１１２】
光学スタック３１９は、反射器３１６、導光板３１７及び拡散器３１８を有する。導光板３１７は、ヒンジ３１５を介して第１のアーム部３１１及び第２のアーム部３１２と一体的に形成される。導光板３１７は、使用中、光を照明モジュールアセンブリ全体に向けることから、導光板３１７の材料は、照明モジュールアセンブリ全体にわたって光を伝達するものでなければならない。導光板３１７は、光を透過するプラスチック材料で作成され、導光板３１７は、第１の細長いアーム部３１１と一体的に形成されることから、使用中に光をスタック３１９に向けるための開口部を第１の細長いアーム部３１１に設ける必要はない。プラスチック材料は、好ましくは、光を十分に透過することができるアクリル（ＰＭＭＡ）である。
【０１１３】
図６は、照明モジュールアセンブリ４００の実施形態の例の断面図を概略的に示している。
【０１１４】
図６の断面図は、細長いアームのうちの１つに沿ったセクションにわたってとられており、細長いヒンジ４１５によって接続される細長いアーム部４１１及び４１２を示している。細長いアーム部４１１及び４１２は、ヒンジ４１５に沿って互いに閉じられる場合に、又はそれとは無関係に、キャビティ４０５を形成する。キャビティ４０５内には、例えばＬＥＤバーの形態の、照明要素４９０が配設され得る。
【０１１５】
照明モジュールアセンブリ４００は、照明モジュールアセンブリ３００と同様である。照明モジュールアセンブリ４００は、光学要素、即ち、反射器４１６、導光板４１７及び拡散器４１８のスタック４１９を有する。
【０１１６】
照明モジュールアセンブリ４００は、アーム部４１１及び４１２の間に配設される熱拡散要素４２５を有し、随意に、アームをすっかり覆い、モジュールの組み立てを可能にするようアームの上に配置されるフレーム４５０を更に有する。熱拡散要素４２５は、装着されるときにキャビティ４０５に嵌め込むよう構成されるばね部４２７を有する。
【０１１７】
この実施形態においては、反射器４１６が、例えば射出成形によって、第１のアーム部４１１及び第２のアーム部４１２と一体的に形成される。反射器は、如何なる方向に散乱されている光も、スタック内に閉じ込められ、拡散器を通してモジュールを出ることができるように、光学要素のスタック内の光を、例えばスタックの底部において、反射する。このやり方においては、光は、失われず、出口の方へ後方反射される。
【０１１８】
実施形態においては、細長いアーム、この例においては細長いアーム部４１１が、反射器４１６と一体的に形成される。
【０１１９】
反射器は、一般に、出口にある拡散器の方へ光を後方反射するよう、スタックの底部に配設される。
【０１２０】
反射器はスタックの底部に配設されることから、反射器がアームと一体的に形成される場合、反射器が照明要素と重なり、このことは、使用中、光がスタックに到達することを妨げるだろう。
【０１２１】
このため、溝４２９が、照明要素、この例においてはＬＥＤバーのＬＥＤに対応して、光が溝４２９を通過し、スタック４１９、とりわけスタック４１９の導光板４１７に到達するようにするために、キャビティ４５０内で、アーム、この例においては第１のアーム部４１１に設けられる。このやり方においては、反射器４１６がアームと一体的に形成されると同時に、照明モジュールアセンブリは適切に機能することができる。
【０１２２】
図８は、照明モジュールアセンブリ５００の実施形態の例の斜視図を概略的に示しており、照明モジュールアセンブリ５００のうちの導光板５１７及び細長いアーム５４０のみが示されている。
【０１２３】
照明モジュールアセンブリ５００は、図５を用いて説明した照明モジュールアセンブリ４００と同様の構造を有し得る。導光板５１７は、上記のように、フレームの２つのアーム部のうちの１つ、又は両方のアームと一体的に形成され得る。
【０１２４】
実施形態においては、導光板５１７は、細長いアームの近くの照明モジュールアセンブリ５００の縁端部において伸長方向に配設される導光板５１７を貫通する細長い開口部５２１、５２２、５２４及び５２５を有する。開口部５２１、５２２は、照明要素を収容しない１つのアームの縁端部に沿って配設される。開口部５２４、５２５は、同様に、前記１つのアームに面するアーム５４０の縁端部に沿って配設され、アーム５４０も照明要素を収容しない。図７ａを参照すると、開口部の拡大図５０１が示されている。
【０１２５】
開口部５２１、５２２、及び照明モジュールアセンブリの反対側の縁端部にある（図７ａにおいては示されていない）開口部５２４、５２５は、光を導光板５１７内に閉じ込める。このやり方においては、光が、モジュール内にとどめられ、縁端部において失われないことから、照明モジュールアセンブリはより効率的に動作することができる。
【０１２６】
実施形態においては、導光板５１７は、例えばドライバユニットを収容するアームに導光板５１７を光学的に接続するブリッジ部５２３を有する。
【０１２７】
ブリッジ部５２３は、伸長方向における開口部５２１及び５２２の間の空間である。ブリッジ部５２３は、導光板５１７が、十分な剛性を有し、細長い貫通開口部５２１及び５２２のせいで破損しないことを可能にする。光を導光板５１７内へ後方反射するために、このような開口部５２１、５２２を通して反射器が配置されてもよい。
【０１２８】
図７ｂは、図７を参照して示されている照明モジュールアセンブリ５００の実施形態の第２拡大図５０２を概略的に示している。この図は、照明モジュールアセンブリ５００のフレームに沿ってアーム５４０を横切ってとられた断面に対応する。
【０１２９】
従って、図７ｂを参照すると、アーム５４０と、反射器５１６、導光板５１７及び拡散器５１８を含む光学要素のスタック５１９とが示されており、更に、アーム５４０及び拡散器５１８を部分的に覆うフレーム５５０が示されている。とりわけ、反射器５１６は、スタックの下に配設され、細長い開口部５２４を通って延在する。このやり方においては、導光板５１７は、背面だけでなく、開口部５２４において導光板５１７の側面においても、反射器よって覆われる。（図７ｂにおいては示されていない）全ての開口部が、同じやり方で反射器によって覆われてもよい。反射器は、照明モジュールアセンブリの使用中、光が開口部を通して分散されることを防止する。光は、導光板内にとどめられる。照明モジュールアセンブリの光効率が更に向上されている。
【０１３０】
実施形態においては、上記の照明要素３９０又は４９０は、１つ以上の固体発光体を有する。固体発光体の例は、発光ダイオード（ＬＥＤ）、有機発光ダイオードＯＬＥＤ、又は、例えばレーザーダイオードである。
【０１３１】
幾つかの実施形態においては、固体発光体は、例えば４４０ｎｍから４６０ｎｍまでの波長範囲の一次光を発する、ＧａＮ又はＩｎＧａＮベースのＬＥＤのような、青色発光ＬＥＤであってもよい。他の例においては、固体照明要素は、青色光、ＵＶ光又は紫色光を発してもよく、青色光、ＵＶ光又は紫色光は、その後、１つ以上の波長変換材料によってより長い波長の光に変換される。それでも、ＬＥＤは、直接蛍光体変換ＬＥＤであってもよい。
【０１３２】
幾つかの実施形態においては、照明要素３９０又は４９０は、ＲＧＢ又はＲＧＢＷ ＬＥＤストリップ、ＲＧＢ又はＲＧＢＷリニア照明要素、ＲＧＢ又はＲＧＢＷエンターテインメント照明及び同様のもののような、好ましくは色制御可能な、様々な個別のＬＥＤ照明要素からなり得る。このようなＬＥＤ照明要素は、１つのＲＧＢ若しくはＲＧＢＷユニットセル、又は多数のＲＧＢ若しくはＲＧＢＷユニットセルを含み得る。ユニットセルは、赤色、緑色、青色及び白色のＬＥＤ間の電流比に応じて、色において個別に及び／又は一括して制御可能であってもよい。様々な照明要素は、個別に使用及び給電されてもよい。
【０１３３】
照明要素は、ハロゲン又はキセノン光源のような白色光発生源の光を着色するフィルタを含んでもよい。フィルタは、デジタルコマンドを介して色を変更するよう電子的に制御可能であってもよい。
【０１３４】
図８は、照明モジュールアセンブリ６００の実施形態の斜視図を概略的に示しており、図８においては、照明モジュールアセンブリ６００のアーム６１０の断面のみが示されている。
【０１３５】
照明モジュールアセンブリ６００は、嵌め合わされるアーム部６１１及び６１２によって形成されるアーム６１０を有する。アーム６１０内には、照明要素６９０、例えばＬＥＤバーが配設される。この実施形態においては、アーム部６１１及び６１２は、ヒンジによって嵌め合わされず、クリックシステム（click system）を介して嵌め合わされる別々の部品であり、アーム部６１１は、それぞれの係合要素６２４及び受け要素６２７を介してアーム部６１２に嵌め込まれる。
【０１３６】
照明モジュールアセンブリ６００の上部は、拡散器６１８と一体的に形成されており、アーム部６１１及び（図８においては示されていない）他の全ての上側アーム部を含む部分によって形成される。照明モジュールアセンブリの底部は、上部から分離されて製造され、アーム部６１２及び（図８においては示されていない）他の全ての下側アーム部を含む。上部が底部と嵌め合わされるとき、更なる光学要素、即ち、スタック６１９の導光板６１７及び反射器６１６を保持することができるフレームが形成される。
【０１３７】
照明モジュールアセンブリ６００においては、拡散器６１８は、照明モジュールアセンブリ６００の上部、即ち、第１の細長いアーム部と一体的に形成される。
【０１３８】
これは、軽い照明モジュールアセンブリを可能にする。また、光は拡散器６１８からモジュールを出ることから、拡散器６１８及び上側アーム部はフレームレスの設計がなされ得る。上記の、それぞれ、モジュール３００、４００及び５００のフレーム３５０、４５０及び５５０のような余分なフレームは、省かれ得る。例えば、照明モジュールアセンブリの一体的に形成される上部は、例えば、照明モジュールアセンブリが吊り下げられる、天井に設置されるＴバーにおける、モジュールの配置に対して機能的であり、且つ審美的に魅力的である適切なプロファイルで設計され得る。
【０１３９】
光は、照明モジュールアセンブリ６００の使用中、拡散器６１８から出て行き、従って、拡散器６１８は、光を伝達するのに適した又は光を透過させる材料で作成される。拡散器６１８の表面の一部は、屈折によって光を拡散させるための微細構造を含み、表面の他の部分は、光の所望の波長において光学的に滑らかである。
【０１４０】
実施形態においては、照明モジュールアセンブリ６００の上部には、照明要素６９０と部分的に重なる照明モジュールアセンブリ６００の縁端部に沿った突出部６８０であって、光が、使用中、モジュールを出る伸長方向に対して垂直な方向に向かって傾斜したプロファイルで延在する突出部６８０が設けられてもよい。この方向は、拡散器６１８によって規定される平面に対して実質的に垂直である。
【０１４１】
本発明者は、照明モジュールアセンブリ６００の上部に照明要素６９０と部分的に重なる突出部６８０を設けることによって、使用中、照明モジュールアセンブリ６００の照明面にわたってより良好な配光が達成され得ることに気付いた。とりわけ、エッジライト式モジュールの場合は、突出部６８０は、斑点（spottiness）、照明要素が配置される照明モジュールアセンブリの縁端部において光の点が見られ得る現象を防止することが分かった。
【０１４２】
実施形態においては、突出部の傾斜したプロファイルは、４５度以下の角度を有する。この実施形態は、斑点を防止するのにとりわけ効率的であることが分かった。
【０１４３】
使用中の照明モジュールアセンブリ６００の光学的シミュレーションを示している図９において示されているように、照明モジュールアセンブリ６００を出る黒い線によって示されている幾らかの光は、照明モジュールアセンブリ６００の縁端部すれすれの方へ突出部６８０を越えて照明モジュールアセンブリ６００の側部にも到達することができる。これは、光が縁端部に向かって徐々に消えて行くことを可能にし、使用中、モジュールの観察者が所謂暗い縁端部又は暗い縁を見ることを防止する。
【０１４４】
図１０は、照明モジュールアセンブリ７００の実施形態の例の断面図を概略的に示している。
【０１４５】
照明モジュールアセンブリ７００は、導光板６１７と拡散器６１８との間に光学シート６２１を更に有するという点で、照明モジュールアセンブリ６００と異なる。光学シート６２１は、拡散器６１８の表面にわたって光の配光を向上させる。光学シート６２１は、体積及び／又は表面散乱特性を備える透明材料で作成される。
【０１４６】
上述の実施形態は、本発明を限定するものではなく、本発明を説明するものであり、当業者は、多くの他の実施形態を設計することができるだろうことに留意されたい。
【０１４７】
請求項において、括弧内に配置される如何なる参照符号も、請求項を限定するものとして解釈されるべきではない。「有する」という動詞及びその語形変化の使用は、請求項において示されている要素又はステップ以外の要素又はステップの存在を除外するものではない。要素の単数形表記は、このような要素の複数の存在を除外するものではない。本発明は、幾つかの別個の要素を有するハードウェアによって実施されてもよく、又は適切にプログラムされたコンピュータによって実施されてもよい。幾つかの手段を列挙しているデバイスの請求項においては、これらの手段のうちの幾つかは、ハードウェアの全く同一のアイテムによって実施されてもよい。単に、或る特定の手段が、相互に異なる従属請求項において挙げられているという事実は、これらの手段の組み合わせは有利になるようには使用されることができないことを示すものではない。
【０１４８】
請求項において、括弧内の参照符号は、実施形態の図面における参照符号又は実施形態の式を指し、従って、請求項の理解しやすさを向上させる。これらの参照符号は、請求項を限定するものとして解釈されるべきではない。
【符号の説明】
【０１４９】
１００、２００、３００、４００、５００、６００、７００、１０００    照明モジュールアセンブリ
１０、２０、３０、４０、２１０、２２０、２３０、２４０、５４０、６１０、１０１０、１０２０、１０３０、１０４０    細長いアーム
１１、２１、２１１、３１１、４１１、６１１、１０１１    第１の細長いアーム部
１２、２２、２１２、３１２、４１２、６１２    第２の細長いアーム部
１４、２４、２４'、６２４    係合要素
１７、２７、２８、６２７    受け要素
１９、４２９    溝
２３    連結機構
２６、２７    アームの裏側
３３、３４、３７、３８    細長い支持プロファイル
５、３５、２０５、３１５    ヒンジ
３６    軸
１５、２５、３０５、４０５、１０１５    キャビティ
２２５、３２５、４２５、６２５    熱拡散要素
７１、７２、７３    薄壁
７５、８５    絶縁層
３９０、４９０、６９０、１０９０    照明要素
２９１、９３    ドライバユニット
３１６、４１６、５１６、６１６、１００４    反射器
３１７、４１７、５１７、６１７、１００３    導光板
３１８、４１８、５１８、６１８、１００２    拡散器
３２７、４２７    ばね部
３２９    受け部
２１９、３１９、４１９、５１９、６１９、１００１    光学要素のスタック
５２１、５２２、５２４、５２５    細長い開口部
５２３    ブリッジ部
５０１、５０２    拡大図
２５０、３５０、４５０、５５０、１００５    フレーム
６２１    光学シート
６８０    突出部
１００６    光
【図１ａ】
2021500726.tif 000003
【図１ｂ−１ｃ】
2021500726.tif 000004
【図１ｄ】
2021500726.tif 000005
【図１ｅ】
2021500726.tif 000006
【図１ｆ】
2021500726.tif 000007
【図２】
2021500726.tif 000008
【図３】
2021500726.tif 000009
【図４ａ】
2021500726.tif 000010
【図４ｂ】
2021500726.tif 000011
【図４ｃ】
2021500726.tif 000012
【図５】
2021500726.tif 000013
【図６】
2021500726.tif 000014
【図７】
2021500726.tif 000015
【図７ａ】
2021500726.tif 000016
【図７ｂ】
2021500726.tif 000017
【図８】
2021500726.tif 000018
【図９】
2021500726.tif 000019
【図１０】
2021500726.tif 000020
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
拡散器、導光板及び反射器を有する光学要素のスタックと、
前記光学要素のスタックを支持するためのフレームを形成する複数の細長いアームであって、少なくとも１つの細長いアームが、前記細長いアームの伸長方向に延在するキャビティを有する複数の細長いアームと、
少なくとも１つの照明要素とを含む照明モジュールアセンブリであって、
前記キャビティが、前記少なくとも１つの照明要素を収容し、使用中、前記照明要素の光を前記光学要素のスタックに向けるよう構成され、
各細長いアームが、第１の細長いアーム部によって形成され、
少なくとも１つの第１の細長いアーム部が、前記拡散器、及び前記導光板のうちの少なくとも一方と一体的に形成される照明モジュールアセンブリ。
【請求項２】
少なくとも１つの細長いアームが、前記キャビティで前記照明要素を囲むために前記伸長方向において前記第１の細長いアーム部と嵌め合わせるための第２の細長いアーム部を有する請求項１に記載の照明モジュールアセンブリ。
【請求項３】
前記第１の細長いアーム部と前記第２の細長いアーム部とが、リビングヒンジに沿って前記第２の細長いアーム部を前記第１の細長いアーム部に対して曲げることによって嵌め合わされるよう構成されるように、前記第１の細長いアーム部と前記第２の細長いアーム部とが、一体的に形成され、前記リビングヒンジによって互いに接続される請求項２に記載の照明モジュールアセンブリ。
【請求項４】
前記拡散器が、前記第１の細長いアーム部と一体的に形成され、前記照明要素と部分的に重なる前記照明モジュールアセンブリの縁端部に沿った突出部を有し、前記突出部が、前記光が、使用中、前記モジュールを出る前記伸長方向に対して垂直な方向に向かって傾斜したプロファイルで延在し、好ましくは、前記傾斜したプロファイルが、４５度以下の角度を有する請求項１乃至３のいずれか一項に記載の照明モジュールアセンブリ。
【請求項５】
前記導光板が、前記第１の細長いアーム部と一体的に形成され、前記細長いアームの近くの前記照明モジュールアセンブリの縁端部において前記伸長方向に配設される前記導光板を貫通する細長い開口部を有する請求項１乃至３のいずれか一項に記載の照明モジュールアセンブリ。
【請求項６】
前記導光板の下に配設され、前記細長い開口部を通って延在する反射器を有する請求項５に記載の照明モジュールアセンブリ。
【請求項７】
前記第１の細長いアーム部が、少なくとも受け要素を有し、前記第２の細長いアーム部が、少なくとも、前記受け要素に係合するための係合要素を有する、請求項２に従属する、請求項１乃至６のいずれか一項に記載の照明モジュールアセンブリ。
【請求項８】
前記係合要素が、前記受け要素に嵌め込むよう構成される請求項７に記載の照明モジュールアセンブリ。
【請求項９】
使用中、前記照明要素によって生成される熱を拡散させるための熱拡散要素を有し、前記熱拡散要素が、前記キャビティ内の前記照明要素を支持するために前記キャビティ内で前記照明要素の背面に配設され、前記スタックの下に部分的に延在する請求項１乃至８のいずれか一項に記載の照明モジュールアセンブリ。
【請求項１０】
前記熱拡散要素が、前記キャビティに嵌め込むよう構成されるばね部を有する請求項９に記載の照明モジュールアセンブリ。
【請求項１１】
前記少なくとも１つの照明要素を制御するために前記キャビティ内に配設されるドライバユニットを更に有する請求項１乃至１０のいずれか一項に記載の照明モジュールアセンブリ。
【請求項１２】
前記照明要素が１つ以上の発光体を有する請求項１乃至１１のいずれか一項に記載の照明モジュールアセンブリ。
【請求項１３】
前記第１の細長いアーム部及び／又は前記第２の細長いアーム部が、好ましくは射出成形によって、一体的に形成される、請求項２に従属する、請求項１乃至１２のいずれか一項に記載の照明モジュールアセンブリ。
【請求項１４】
前記第１の細長いアーム部及び／又は前記第２の細長いアーム部が、プラスチック、好ましくはポリカーボネート又はアクリルで作成される、請求項２に従属する、請求項１乃至１３のいずれか一項に記載の照明モジュールアセンブリ。
【国際調査報告】
2021500726.tif 000021
2021500726.tif 000022